(57)【要約】【課題】アンテナ装置を分解、組立式にすると共に、分解した全装置を１つのトランクに収納することができる可搬式アンテナ装置を提供する。【解決手段】トランク１に着脱可能に装着され、上記トランクの底面を形成し得るようにされた剛体板２と、この剛体板の一面に装着され、仰角及び方位角が調整可能な反射鏡１３と、この反射鏡に対向して配設された放射器２１と一体的に構成された送信機１９及び受信機２０と、上記送信機、受信機及び放射器を支承すると共に、上記反射鏡側へ折り曲げ可能に構成されたステー１５とを備え、上記反射鏡は上記剛体板への装着部を含む主部１３Ｃと、この主部に着脱可能に装着された先端部１３Ｄと、上記主部及び先端部の両側に着脱可能に装着された側部１３Ｅ、１３Ｆとから構成され、上記ステーを含む主部及び上記各側部はそれぞれ上記トランクに収納可能な長さとされたもの。【選択図】図１
2007174439.tif 000002
【特許請求の範囲】
【請求項１】
トランクに着脱可能に装着され、上記トランクの底面を形成し得るようにされた剛体板と、この剛体板の一面に装着され、仰角及び方位角が調整可能な反射鏡と、この反射鏡に対向して配設された放射器と一体的に構成された送信機及び受信機と、上記送信機、受信機及び放射器を支承すると共に、上記反射鏡側へ折り曲げ可能に構成されたステーとを備え、上記反射鏡は上記剛体板への装着部を含む主部と、この主部に着脱可能に装着された先端部と、上記主部及び先端部の両側に着脱可能に装着された側部とから構成され、上記ステーを含む主部及び上記各側部はそれぞれ上記トランクに収納可能な長さとされたことを特徴とする可搬式アンテナ装置。
【請求項２】
上記反射鏡の先端部及び両側部を上記主部から取り外すと共に、上記放射器、送信機及び受信機を上記ステーから取り外し、取り外した各装置を上記トランクに収納し、上記ステーを上記反射鏡の主部側に折り曲げた状態で上記剛体板をその他面が上記トランクの外面となるように裏返して上記トランクに装着することによりアンテナ装置を上記トランクに収納することを特徴とする請求項１記載の可搬式アンテナ装置。
【請求項３】
上記トランクの上記剛体板を装着した面の下方の面の３個所に水平調節機構を装着して上記剛体板を水平状態に保持すると共に、上記トランクをアンテナの支持台とすることを特徴とする請求項１または請求項２記載の可搬式アンテナ装置。
【発明の詳細な説明】
【技術分野】
【０００１】
この発明は、衛星通信の地上移動局などにおいて利用される可搬式アンテナ装置、特に防災用として人が持ち運びする場合に好適な可搬式アンテナ装置に関するものである。
【背景技術】
【０００２】
従来、地上移動局において利用されるアンテナ装置は、分解、組立が容易で、かつ小型で移動の容易性が要求されている。このため、アンテナ装置を反射鏡ユニットと、給電部ユニットと、送信機ユニットと、仰角及び方位角調整部ユニットとに分解し得るように構成し、分解した各ユニットをそれぞれ別のケースに収納して運搬する可搬式アンテナ装置が提案されている。（例えば特許文献１参照）。
【０００３】
【特許文献１】特開平６−３３４４２５号公報
【発明の開示】
【発明が解決しようとする課題】
【０００４】
従来の地上移動局における可搬式アンテナ装置は上記のように構成され、複数のケースに収納されて運搬するようにされているが、災害時等においては、車両による運搬ができず、人が持ち運びしなければならない場合も多々発生する。このような場合、複数のケースでは運び切れない事態も生ずるという問題点があった。
【０００５】
この発明は、上記のような問題点に対処するためになされたもので、アンテナ装置を分解、組立式にすると共に、分解した全てのユニットを１つのケース（トランク）に収納することができる可搬式アンテナ装置を提供することを目的とする。
【課題を解決するための手段】
【０００６】
この発明に係る可搬式アンテナ装置は、トランクに着脱可能に装着され、上記トランクの底面を形成し得るようにされた剛体板と、この剛体板の一面に装着され、仰角及び方位角が調整可能な反射鏡と、この反射鏡に対向して配設された放射器と一体的に構成された送信機及び受信機と、上記送信機、受信機及び放射器を支承すると共に、上記反射鏡側へ折り曲げ可能に構成されたステーとを備え、上記反射鏡は上記剛体板への装着部を含む主部と、この主部に着脱可能に装着された先端部と、上記主部及び先端部の両側に着脱可能に装着された側部とから構成され、上記ステーを含む主部及び上記各側部はそれぞれ上記トランクに収納可能な長さとされたものである。
【発明の効果】
【０００７】
この発明に係る可搬式アンテナ装置は上記のように構成され、トランクの底面を形成する剛体板をアンテナ装置の支持板として利用すると共に、アンテナの反射鏡を４つに分割可能な構成とし、放射器を支承するステーを折り曲げ可能に構成したため、４分割された反射鏡や放射器等をトランクのスペースに収納することができ、アンテナ装置全体を１つのトランクに収納することが可能となる。
従って、災害時において、人が持ち運びしなければならない事態が生じても、アンテナ装置全体を容易に運搬することができる。
【発明を実施するための最良の形態】
【０００８】
実施の形態１．
以下、この発明の実施の形態１を図にもとづいて説明する。図１は、実施の形態１の概略構成を示す全体斜視図、図２は、トランクに装着した水平調節機構及び反射鏡の固定部の構成を示す側面図、図３は、同じく水平調節機構及び反射鏡の固定部の構成を示す平面図、図４は、アンテナの反射鏡を支持する構成を示す概略側面図、図５は、アンテナの反射鏡の構成を示す概略図である。
【０００９】
これらの図に示すように、実施の形態１のアンテナ装置は、トランク１の底面を形成している剛体板２をトランク１から取り外し、更に剛体板２を裏返して再度トランク１の底面部分に装着し、トランク１の内面を形成していた剛体板２の一面２Ａにアンテナ装置を装着するようにしたものである。
【００１０】
剛体板２の構成は図示していないが、例えば２枚のアルミ板の間にアルミ製のハニカムコアを装着したハニカムボードとして構成され、トランク１の底面にファスナ３によって着脱可能に装着されている。
【００１１】
着脱可能の構成は、例えば図４に示すように、剛体板２の両端面に断面Ｕ字形の金具３Ａを、金具の折り曲げ部が上方及び下方に位置するような形でねじ止めすると共に、一端がＵ字形金具３Ａの図において上方折り曲げ部と係合し、他端がトランク１に結合された係合片３Ｃを有する周知のファスナ３によって装着される。
【００１２】
なお、後述するように、アンテナ装置をトランク１内に収納する際は、図４において剛体板２を裏返し、剛体板２の他面２Ｂがトランク１の外面となるようにするが、この場合の剛体板２とトランク１との固定は、Ｕ字形金具３Ａの図４において下方折り曲げ部と係止片３Ｃの一端とが係合して図４の場合と同様にトランク１に装着される。
【００１３】
剛体板２の一面２Ａには、アンテナの反射鏡を固定するための固定円板４が固定され、その上面にリング状のテフロン（登録商標）５が貼着され、更にその上面に回転板６が回転可能に装着されている。この回転板６は常時は回転しないように以下に述べる２つの固定装置によって剛体板２に固定されている。
【００１４】
第１の固定装置７は、下端にねじが形成されており、このねじが回転板６の中央部に形成された孔を貫通して固定円板４の中央部に形成された雌ねじにねじ込まれる構成とされており、ねじを締めることによって回転板６を締め付けて回転を防止するようにされている。
【００１５】
また、第２の固定装置８は、剛体板２にねじ込まれるねじ棒８Ａと、このねじ棒から突出して回転板６の表面を押圧する押圧部８Ｂとを有し、ねじ棒８Ａをねじ込むことによって押圧部８Ｂが回転板６の表面を押圧して回転を防止するようにされている。
【００１６】
回転板６の上面にはおおむねＵ字状に形成されたアンテナ支持板９がねじ９Ａによって固定されている。
一方、トランク１の図２において下方端の３個所にはトランク１を地上に設置した場合に、剛体板２の水平を確保するために水平調節機構１０が着脱可能に設けられている。
【００１７】
図３において、Ａのリングで示した水平調節機構１０の詳細構成を図２に示すように、水平調節機構１０は、トランク１の下面に当接される基板１０Ａと、この基板１０Ａから上方に突出して設けられ、トランク１の側面に当接される側面板１０Ｂと、下端が接地部として形成され、その上部に形成されたねじが基板１０Ａにねじ込まれ、ねじを調節することによって接地部と基板１０Ａとの高さが調節されるように構成された高さ調節棒１０Ｃと、基板１０Ａの側面板１０Ｂが突出する側に設けられ、トランク１に形成された穴１０Ｄに挿入される位置決め用の突起１０Ｅと、基板１０Ａを貫通してトランク１の雌ねじにねじ込まれる固定用のねじ１０Ｆとから構成され、トランク１への装着時には突起１０Ｅを穴１０Ｄに挿入した状態でねじ１０Ｆをトランク１の雌ねじにねじ込み、取り外し時は、ねじ１０Ｆを戻し、突起１０Ｅを穴１０Ｄから引き抜くことによって容易に取り外すことが出来るようになっている。
【００１８】
一方、上述したアンテナ支持板９には、図４に示すように、サポート板１１がピン１１Ａによって上下に回動可能なように支持されている。サポート板１１の先端部１１Ｂとアンテナ支持板９との間にはジャッキ１２が設けられ、ハンドル１２Ａを回動することによってジャッキ１２が伸縮し、サポート板１１の仰角を制御できるようになっている。
【００１９】
ジャッキ１２の一端とサポート板１１の先端部１１Ｂとはピン１２Ｂによって結合され、ジャッキ１２の他端とアンテナ支持板９とはピン１２Ｃによって結合されている。
サポート板１１の上面にはアンテナの反射鏡１３が支持部１３Ａ、１３Ｂによって固定されている。
【００２０】
反射鏡１３はトランク１への収納を容易にするため図５（ａ）に示すように、４つの部分に分割し得るようにされると共に、分割された各部を容易に結合して組立て得るようにされている。即ち、サポート板１１への固着部となる主部１３Ｃと、この主部に結合される先端部１３Ｄと、上記主部及び先端部の両側にそれぞれ結合される側部１３Ｅ、１３Ｆとに４分割されている。
【００２１】
また、主部１３Ｃの先端部１３Ｄと対向する側端面及び両側部１３Ｅ、１３Ｆと対向する側端面にはそれぞれ突起１３Ｇ、１３Ｈ、１３Ｊが形成され、先端部１３Ｄの主部１３Ｃと対向する側端面には突起１３Ｇと係合する穴部１３Ｋが形成され、側部１３Ｅ及び１３Ｆの主部１３Ｃと対向する側端面には突起１３Ｈと係合する穴部１３Ｌ及び突起１３Ｊと係合する穴部１３Ｍがそれぞれ形成され、各突起を、対向する穴部に係合させることにより４つの部分が結合されて反射鏡１３が形成され、各突起を穴部から引き抜くことにより４つの部分に容易に分割することができる構成となっている。
【００２２】
なお、上述した突起と穴部を設ける場所は各部分の側端面に限られるものではなく、図５（ｂ）に示すように、対向する各部分、例えば１３Ｃ、１３Ｆの裏面にそれぞれ当て板１３Ｐ、１３Ｎを設け、この当て板に突起１３Ｊと穴部１３Ｍを設けてもよい。
【００２３】
一方、サポート板１１の先端部１１Ｂにはステー固定部１４が反射鏡１３の側に設けられている。このステー固定部の高さは図４に示すように、反射鏡１３の上端と同程度あるいはそれより少し高くなるようにされ、その上にステー１５が配設されている。
【００２４】
ステー固定部１４とステー１５とは反射鏡１３側に設けられた蝶番１６によって結合され、図４に矢印及び一点鎖線で示すように、ステー１５を蝶番部分から反射鏡１３側に折り曲げることができるようにされている。常時は蝶番１６と反対側に設けられたファスナ１７によってステー１５とステー固定部１４とを結合し、ステー１５が折れ曲がらないように支承している。
【００２５】
ステー１５の先端部は反射鏡１３側に面した傾斜面とされ、この傾斜面にクッション１８を介して図１に示す送信機１９、受信機２０及び放射器２１が装着されている。
送信機１９と受信機２０と放射器２１とは一体に構成され、３つの機器をまとめてステー１５に取り付け、取り外しができるようにされている。
【００２６】
実施の形態１は上記のように構成されているため、アンテナ装置として作用させる場合には、図１の構成のものを地上に設置し、トランク１をアンテナの支持台として使用する。また、３個所の水平調節機構１０を調節して剛体板２を水平に保持すると共に、ジャッキ１２のハンドル１２Ａを操作して反射鏡１３の仰角を調整する。反射鏡１３の方位角調整は第１の固定装置７を緩めると共に、第２の固定装置８を緩め、回転板６が回転し得るようにした状態で反射鏡１３を手動で左右に回転させて行なう。
【００２７】
次に、上述したアンテナ装置をトランク１に収納する場合の手順について説明する。
先ず、図６に示すように、送信機１９、受信機２０、放射器２１の一体構成をステー１５から外す。次に、反射鏡１３の先端部１３Ｄ及び両側部１３Ｅ、１３Ｆをそれぞれ主部１３Ｃから引き抜いて４つに分割する。主部１３Ｃはサポート板１１に固定されたままとする。
【００２８】
その後、ステー１５のファスナ１７による固定を外し、ステー１５を蝶番１６の部分から図４に矢印で示すように、反射鏡１３側に折り曲げ、一点鎖線で示す状態とする。
次いで、ジャッキ１２とサポート板１１の先端部１１Ｂとを結合しているピン１２Ｂを外してサポート板１１の先端部１１Ｂを押し下げ、図４に一点鎖線で示す状態とする。
【００２９】
この状態で図４のファスナ３の係合片３ＣをＵ字形金具３Ａから外して両者の結合を解き、剛体板２をトランク１から取り外して適宜の個所に置く。
ここで、先程取り外した送信機１９等の一体構成を剛体板２の回転板６の周辺に接着テープ（図示せず）等によって固定する。
【００３０】
次いで、図２に示す水平調節機構１０のねじ１０Ｆを緩めて水平調節機構１０をトランク１から外し、３個をまとめて適宜の袋等に収容し、この袋を剛体板２の適宜のスペースに接着テープ（図示せず）で固定する。
【００３１】
その後、先に取り外した反射鏡１３を図７に示すように、トランク１の上面内側に接着テープ２２で固定する。この場合、アンテナ装置全体がトランク１内に収納された時、反射鏡１３の両側部１３Ｅ、１３Ｆが主部１３Ｃの上部でステー１５の両側に位置するようにし、その上部で両側部１３Ｅ、１３Ｆに跨って先端部１３Ｄが乗るようにするため、先端部１３Ｄをトランク１の上面内側に先ず配設し、その下側に両側部１３Ｅ、１３Ｆを適当な間隔を保持して配設し、全体を接着テープ２２でトランク１の内面に固定する。
【００３２】
この状態でトランク１の底面となる側を下に向けて図７の矢印で示すように、アンテナ装置の上側から覆いかぶせる形で剛体板２の上に載せ、トランク１のファスナ３の係合片３Ｃを剛体板２のＵ字形金具３Ａの図７において下方折り曲げ部と係合させて固定する。
【００３３】
この状態では剛体板２は図４の状態に比して裏返した状態になっており、剛体板２のアンテナ装置を装着していない面２Ｂがトランク１の底面の外面を構成し、アンテナ装置全体はトランク１内に収納されることになる。図８は、上述の手順でトランク１内に収納されたアンテナ装置の収納状態を示す斜視図である。符号は図１と対応しているため説明を省略する。
【図面の簡単な説明】
【００３４】
【図１】この発明の実施の形態１の概略構成を示す全体斜視図である。
【図２】実施の形態１において、トランクに装着された水平調節機構及び反射鏡の固定部の構成を示す側面図である。
【図３】図２と同じ構成を示す平面図である。
【図４】実施の形態１において、アンテナの反射鏡を支持する構成を示す概略側面図である。
【図５】実施の形態１において、アンテナの反射鏡の構成を示す概略図で、（ａ）は４分割の構成の一例を示し、（ｂ）は他の例を示す。
【図６】実施の形態１において、アンテナ装置をトランクに収納する手順のうち送信機、受信機及び放射器をステーから取り外した状態を示す斜視図である。
【図７】実施の形態１において、アンテナ装置をトランクに収納する手順のうち反射鏡をトランク内面に固定してトランクを剛体板に覆いかぶせる状態を示す概略図である。
【図８】実施の形態１において、アンテナ装置全体をトランクに収納した状態を示す概略斜視図である。
【符号の説明】
【００３５】
１  トランク、  ２  剛体板、  ３  ファスナ、  ４  固定円板、  ５  テフロン（登録商標）、  ６  回転板、  ７  第１の固定装置、  ８  第２の固定装置、  ９  アンテナ支持板、  １０  水平調節機構、  １１  サポート板、  １２  ジャッキ、  １２Ａ  ハンドル、  １２Ｂ  ピン、  １３  反射鏡、  １４  ステー固定部、  １５  ステー、  １９  送信機、
２０  受信機、  ２１  放射器。
【図１】
2007174439.tif 000003
【図２】
2007174439.tif 000004
【図３】
2007174439.tif 000005
【図４】
2007174439.tif 000006
【図５】
2007174439.tif 000007
【図６】
2007174439.tif 000008
【図７】
2007174439.tif 000009
【図８】
2007174439.tif 000010